(57)【要約】      （修正有）【課題】利用者のやり取りが同一メールグループ内に限定されない方法を提供する。【解決手段】データサーバは、ウェブページから条件および利用者自身の電子メールアドレスを受け取る。次にデータサーバは、メールサーバに対し利用者からの複数条件から構成される電子メールアドレスの生成処理命令および利用者の電子メールアドレス宛の電子メールの送信処理命令を伝送する。電子メールアドレス生成処理命令を受信したメールサーバは、電子メールアドレスを生成し、利用者自身の電子メールアドレスに対して生成した電子メールアドレスを通知する、その後、生成された電子メールアドレスを転送された利用者は、当該電子メールアドレス宛に電子メールを送信することにより、当該条件を登録した利用者全員に対して電子メールを送信可能となる。【選択図】図１
2016200880.tif 000002
【特許請求の範囲】
【請求項１】
利用者が電気通信回線上で特定の条件を指定する事により当該条件に基づく電子メールアドレスを生成し同一条件を指定した他の利用者と電子メールアドレスを経由して情報の交換を行いつつ、関連する他の条件を指定した利用者とも容易に情報の交換を行うための情報処理技術およびハードウェアとソフトウェアの連携技術。
【発明の詳細な説明】
【技術分野】
【０００１】
本発明は、電子メールアドレスを通じて多数の利用者が同一の情報を送受信するための情報処理技術およびハードウェアとソフトウェアの連携に関する。
【背景技術】
【０００２】
インターネットを利用した各種通信手段の中で、電子メールは、一対一、一対多で確実に電磁的情報を送受信できる利点があるため、個人、法人問わず身近な通信手段として実用に供されている。 
【０００３】
その中で、あらかじめ特定の利用者が指定した電子メールアドレスに対して、他の利用者が送信した電子メールが利用者全員に送信されるグループアドレス、メーリングリストなどのメールグループは、テーマや目的に沿った利用者間の情報、意見などの交換の場として活用されている。
【先行技術文献】
【特許文献】
【０００４】
なし
【非特許文献】
【０００５】
なし
【発明の概要】
【発明が解決しようとする課題】
【０００６】
しかしながら、メーリングリストやグループアドレスは、通常特定の利用者によって属人的にメールグループが作成され、他の利用者が参加するためには特定の利用者による承認処理が必要となるなど、利用開始にあたって一定の属人性が発生するという課題がある。
【０００７】
また、各メールグループ間の情報を関連付ける機能がなく、利用者のやり取りが同一メールグループ内に限定される傾向があり、メールグループ間の連携不足が発生するなどの課題もある。
【課題を解決するための手段】
【０００８】
上述の課題を解決するために、インターネット上のウェブページ等において利用者があらかじめ示された条件の組み合わせから興味のあるメールグループを選択する事が可能な機能を用意し、その条件の組み合わせによってユニークな電子メールアドレスを生成するとともに、当該電子メールアドレスを構成する条件に関連する新たな電子メールアドレスへのリンクを同電子メール内に組み入れ、ネットワーキングシステムとして活用する方法を考案した。
【発明の効果】
【０００９】
本発明における複数条件の組み合わせによる電子メールアドレスの生成機能により従来のメーリングリストやグループアドレスにおける属人性が解消され、また同電子メールアドレス内の条件から関連するメールグループを自動生成する機能によって、従来のメーリングリストやグループアドレスにおける個別性が解消される。
【図面の簡単な説明】
【００１０】
【図１】はインターネット上に公開されたウェブページ等において用意された複数条件から固有の電子メールアドレスが生成され、生成された電子メールアドレスを元に他の電子メールアドレスとの関連付けを行う方法を示した説明図である。
【発明を実施するための形態】
【００１１】
利用者の交流のための電子メールアドレスの生成をあらかじめ用意された複数条件の組み合わせによるものとし、同条件と関連する条件における電子メールアドレスを表示する機能を備える事で電子メールアドレスを利用した交流の属人性および個別性を解消している。
【実施例１】
【００１２】
図１は、本発明を実現するために必要なハードウェア、ソフトウェアの構造を示している。
図１に示すように、本構造はウェブページとデータサーバーとメールサーバーを備える。
ウェブページはイントラネット上の共有スペース等であってもよい。その場合、利用者の範囲を限定することができる。
ウェブページは条件選択機能と利用者のメールアドレス入力機能を備える。
【００１３】
データサーバーには条件と利用者のメールアドレスをセットで保存するテーブルが存在する。
また、データサーバーにはメールサーバーが電子メールを受信した時にメールサーバーに対して該当する利用者全員に関連するメールアドレスを付加したメール送信を指示するコマンドが存在する。
【００１４】
メールサーバーは、データサーバーからの命令により生成された電子メールを送信する機能を備える。
【００１５】
次に、複数条件の組み合わせによる電子メールアドレスの生成および当該電子メールアドレス内における関連する条件の生成作用について記載する。
【００１６】
まず、利用者がウェブページ上で複数条件および利用者自身の電子メールアドレスを入力し、申込を実行する。
【００１７】
データサーバーは、ウェブページから条件および利用者自身の電子メールアドレスを受け取る。
次に、データサーバーは、メールサーバーに対し、利用者からの複数条件から構成される電子メールアドレスの生成処理命令および利用者の電子メールアドレス宛の電子メールの送信処理命令を伝送する。
【００１８】
電子メールアドレス生成処理命令を受信したメールサーバーは、電子メールアドレスを生成し、利用者自身の電子メールアドレスに対して生成した電子メールアドレスを通知 する。
その後、生成された電子メールアドレスを転送された利用者は、当該電子メールアドレス宛に電子メールを送信する事により、当該条件を登録した利用者全員に対して電子メールを送信可能となる。
また、当該電子メールアドレスの本文内に記載された関連する条件から構成される電子メールアドレス宛に電子メールを送信することにより、当該条件で申し込みをしている他の利用者宛に電子メールを送受信する事ができる。
【００１９】
上述の構造と作用により、以下の効果を実現する。
【００２０】
本実施例の電子メールアドレスは、利用者がウェブページ上で選択した条件を組み合わせて生成される。このため、利用者はあらかじめ用意された条件に基づいて、非属人的に電子メールアドレスを生成する事が可能となる。
【００２１】
また、当該電子メールアドレスの本文内には関連する条件から構成される電子メールアドレスが記載されており、当該電子メールアドレス宛てに電子メールを送信する事で、当該条件に登録した利用者とも電子メール経由で情報を容易に共有する事が可能となる。
【産業上の利用可能性】
【００２２】
本発明により、電子メールを利用したメールグループにおいて、特定の利用者主導型でない、非属人的な条件によって分類されたコミュニティー生成が可能となり、利用者自身が所属するメールグループに関連するメールグループへの参加が容易になる等、既存の電子メールを利用した交流システムにおける属人性・個別性が解消される。その結果、社会において、特定の事項に関する相互認識および利用者間の相互理解を深める事ができるという利点がある。
【符号の説明】
【００２３】
１    ウェブページ
２    データサーバー
３    メールサーバー
４    電子メール
【図１】
2016200880.tif 000003